(57)【特許請求の範囲】
【請求項１】
撮影指示に応答して、撮像手段で被写体を撮影して画像データを生成するデジタルカメラであって、
手動操作に基づいて通常撮影モード又は文書撮影モードの一方を設定するモード設定手段と、
ズーム倍率が光学ズームによって拡大可能な範囲を超える場合に、前記撮像手段から得られた画像データに対して電子ズームを施す電子ズーム手段と、
前記モード設定手段によって設定されるモードが前記通常撮影モードである場合には、前記電子ズーム手段の機能制限を行わず、前記モード設定手段によって設定されるモードが前記文書撮影モードである場合には、前記電子ズーム手段の機能を制限してズーム倍率を決定する機能制限手段と、
を備え、
前記撮影指示に応答して、前記機能制限手段で決定される前記ズーム倍率を適用して撮影動作を行うことを特徴とするデジタルカメラ。
【請求項２】
請求項１に記載のデジタルカメラにおいて、
前記機能制限手段は、前記電子ズーム手段による電子ズームを禁止することを特徴とするデジタルカメラ。
【請求項３】
請求項１又は２に記載のデジタルカメラにおいて、
前記機能制限手段が前記電子ズーム手段の機能を制限している場合に、前記機能制限手段による前記電子ズーム手段の機能制限状態を解除する制限解除手段と、
前記機能制限状態を解除する際に、所定の警告を行う警告発生手段と、
をさらに備えることを特徴とするデジタルカメラ。
【請求項４】
請求項１に記載のデジタルカメラにおいて、
前記機能制限手段は、前記電子ズーム手段による電子ズームの倍率を制限することを特徴とするデジタルカメラ。
【請求項５】
請求項４に記載のデジタルカメラにおいて、
前記機能制限手段が前記電子ズーム手段の機能を制限している場合に、前記機能制限手段による前記電子ズーム手段の機能制限状態を解除する制限解除手段と、
前記機能制限状態を解除する際に、所定の警告を行う警告発生手段と、
をさらに備えることを特徴とするデジタルカメラ。
【発明の詳細な説明】
【０００１】
【発明の属する技術分野】
この発明は、被写体を撮影して画像データを生成するデジタルカメラに関する。
【０００２】
【従来の技術】
従来、被写体を撮影して画像データを生成するデジタルカメラにおいては、撮影した画像はデジタルデータとして得られるため、画像処理による電子ズーム（デジタルズーム）機能により、撮像レンズの光学ズーム機能による拡大可能な範囲を超えて画像の拡大を行うことが可能である。
【０００３】
また、従来のデジタルカメラには、人物や風景等の通常の被写体を撮影する通常撮影モードと、紙面やホワイトボード等に書かれた文字等を被写体として撮影する文書撮影モードとを有し、２つのモードのうちからユーザが被写体に応じて撮影モードの選択を行うことができるものも存在する。
【０００４】
【発明が解決しようとする課題】
しかしながら、文書撮影モードで本等に記載された文書等を撮影する場合、電子ズーム機能が動作すると、文字等が劣化するという問題がある。一般に、文書撮影モードは文字等が鮮明に写ることを目的として設定されるため、電子ズーム機能によって文字等が劣化することは好ましくない。
【０００５】
そこで、この発明は、上記課題に鑑みてなされたものであって、文書撮影モード時には文字等を鮮明に撮影することができるデジタルカメラを提供することを目的とする。
【０００６】
【課題を解決するための手段】
上記目的を達成するために、請求項１に記載の発明は、撮影指示に応答して、撮像手段で被写体を撮影して画像データを生成するデジタルカメラであって、手動操作に基づいて通常撮影モード又は文書撮影モードの一方を設定するモード設定手段と、ズーム倍率が光学ズームによって拡大可能な範囲を超える場合に、前記撮像手段から得られた画像データに対して電子ズームを施す電子ズーム手段と、前記モード設定手段によって設定されるモードが前記通常撮影モードである場合には、前記電子ズーム手段の機能制限を行わず、前記モード設定手段によって設定されるモードが前記文書撮影モードである場合には、前記電子ズーム手段の機能を制限して前記ズーム倍率を決定する機能制限手段とを備え、前記撮影指示に応答して、前記機能制限手段で決定される前記ズーム倍率を適用して撮影動作を行うものである。
【０００７】
請求項２に記載の発明は、請求項１に記載のデジタルカメラにおいて、前記機能制限手段が、前記電子ズーム手段による電子ズームを禁止することを特徴としている。
【０００８】
請求項３に記載の発明は、請求項１又は２に記載のデジタルカメラにおいて、前記機能制限手段が前記電子ズーム手段の機能を制限している場合に、前記機能制限手段による前記電子ズーム手段の機能制限状態を解除する制限解除手段と、前記機能制限状態を解除する際に、所定の警告を行う警告発生手段とをさらに備えている。
【０００９】
請求項４に記載の発明は、請求項１に記載のデジタルカメラにおいて、前記機能制限手段が、前記電子ズーム手段による電子ズームの倍率を制限することを特徴としている。
【００１０】
請求項５に記載の発明は、請求項４に記載のデジタルカメラにおいて、前記機能制限手段が前記電子ズーム手段の機能を制限している場合に、前記機能制限手段による前記電子ズーム手段の機能制限状態を解除する制限解除手段と、前記機能制限状態を解除する際に、所定の警告を行う警告発生手段とをさらに備えている。
【００１１】
【発明の実施の形態】
以下、この発明の実施の形態について図面を参照しつつ詳細に説明する。
【００１２】
まず、デジタルカメラ１の構成について説明する。図１はデジタルカメラ１を示す斜視図である。また、図２はデジタルカメラ１の背面側の構成を示す図である。図１に示すように、デジタルカメラ１の前面側には、撮像レンズ１１とファインダ窓２とフラッシュ発光部１２とが設けられている。撮像レンズ１１の内側には撮像レンズ１１から得られる被写体像を光電変換するためのＣＣＤ撮像素子３０が設けられている。
【００１３】
また、デジタルカメラ１の上面側には、レリーズボタン８と、光学ズームを行うためのズームレバー５と、カメラ状態表示器１３と、撮影条件設定スイッチ１４とが配置されている。レリーズボタン８は被写体像の撮影を行うときにユーザが押し込み操作するボタンである。また、ズームレバー５は拡大ボタン５ａと縮小ボタン５ｂとの２つのボタンを備えて構成され、ユーザが拡大ボタン５ａ又は縮小ボタン５ｂのいずれか一方を操作することにより、ＣＣＤ撮像素子４０に結像される被写体像の大きさを光学的に変更することができるように構成されている。また、このズームレバー５は後述する電子ズーム機能による画像拡大の倍率を設定するためにも用いられる。
【００１４】
カメラ状態表示器１３は例えばセグメント表示タイプの液晶表示器によって構成され、デジタルカメラ１における現在の設定内容等をユーザに示すために設けられている。また、撮影条件設定スイッチ１４はデジタルカメラ１による撮影動作の際の絞り優先撮影、シャッタスピード優先、深度優先撮影等といった露光条件の設定や、ホワイトバランスの設定内容の切り替え設定等を行うためのスイッチである。
【００１５】
また、デジタルカメラ１の側面部には画像データを記録するための記録メディア９を装着する装着部１５が形成されており、交換可能な記録メディア９を装着することができる。
【００１６】
また、デジタルカメラ１の背面側には、ＣＣＤ撮像素子３０で得られた画像を表示するための表示手段となる液晶表示器３と、ファインダ窓２と、撮影モードを「通常撮影モード」と「文書撮影モード」とで切り替えるための文書撮影モード設定キー１７と、撮影時にフラッシュ発光部１２の「自動発光撮影」と「強制発光撮影」と「発光禁止撮影」とを切り替えるためのフラッシュ発光設定キー１８と、電子ズーム機能を動作させて光学ズームでの拡大可能な範囲を超えて画像の拡大を行うための電子ズーム設定キー１９と、ユーザの聴覚に対して警告を行うための電子ブザー４とを備えている。
【００１７】
図３はデジタルカメラ１の内部構成を示すブロック図である。なお、図３において斜線地の矢印は画像信号（画像データ）の流れを示しており、実線矢印は制御信号の流れを示している。
【００１８】
図３に示すように、デジタルカメラ１の撮像レンズ１１には光学ズームを行うためのズームレンズ１１ａが含まれており、光学ズーム駆動部５１による駆動でズームレンズ１１ａが光軸Ｌに沿って移動し、ＣＣＤ撮像素子３０に結像する被写体像を所定範囲内の倍率に設定することができるように構成されている。
【００１９】
そしてＣＣＤ撮像素子３０は撮像レンズ１１を介して受光する被写体像を光電変換し、画像データを生成する。ＣＣＤ撮像素子３０からの出力される画像データはＡ／Ｄ変換器３１にて例えば１画素あたり８ビットのデジタルデータに変換される。
【００２０】
その後、画像データは、複数の画像処理部、すなわちシェーディング補正部３２、ＷＢ（ホワイトバランス）補正部３３、γ補正部３４、色補間部３５、電子ズーム部３６、文書画像処理部３７、輪郭補正部３８、及び圧縮部３９にて順次所定の処理が行われ、最終的に記録メディア９に記録される。
【００２１】
これらの各画像処理部は制御手段として機能するＣＰＵ４０によって制御される。ＣＰＵ４０は、ズームレバー５、文書撮影モード設定キー１７、フラッシュ発光設定キー１８、電子ズーム設定キー１９、及びレリーズボタン８の各操作入力手段からの入力情報を入力して各部を制御するように構成される。また、ＣＰＵ４０はカメラ状態表示器１３に対して現在のデジタルカメラ１における設定状態を表示させたり、また、液晶表示器３に対していわゆるライブビュー画像の表示、撮影の結果得られた画像の表示、又は記録メディア９に記録されている画像の再生表示を行ったりするように構成されている。また、ＣＰＵ４０はフラッシュ発光部１２に対して発光信号及び発光停止信号を与えることによりフラッシュ発光部１２を発光させることができるように構成されており、さらに電子ブザー４に対してブザー信号を与えることにより電子ブザー４を動作させてユーザに警告を発することが可能なように構成されている。
【００２２】
ＣＰＵ４０は所定のプログラムを実行することにより、その内部機能としてモード設定部４１、機能制限部４２、制限解除部４３、警告発生部４４としての機能を実現する。
【００２３】
モード設定部４１は「通常撮影モード」又は「文書撮影モード」のいずれか一方を設定するモード設定手段であり、ユーザによる文書撮影モード設定キー１７の操作状況を把握して撮影モードの設定を行う。したがって、ユーザは文書撮影モード設定キー１７の操作を行うことによって「通常撮影モード」と「文書撮影モード」とを交互に切り替え設定することが可能となっている。なお、通常撮影モードとは人物や風景等の通常の被写体（以下、通常被写体という。）を撮影するモードであり、文書撮影モードとは書籍やホワイトボード等に書かれた文字等の被写体（以下、文字被写体という。）を撮影するモードである。
【００２４】
文字被写体を撮影する場合、撮影によって得られる画像から文字等を読み取ることを目的としているので、ユーザはその画像が複写機で複写したように、下地が白くとび、かつ文字が鮮明に写っているような画像であることを期待する。しかし、通常被写体を撮影する通常撮影モードで撮影を行うと、文字の書かれた白い紙等を撮影すると、露出アンダーとなって文字認識のための良好な画像を得ることができなくなる。そしてこの場合、画像をプリントアウトすると、余分なグレー成分のインクが消費されることとなり無駄が多くなる。
【００２５】
また、撮像レンズ１１の周辺光量落ちや被写体の照度むらが原因で、画像内に輝度むらが発生することもある。このような画像からも文字を読み取ることが困難である。
【００２６】
このような事態を解消するために、デジタルカメラ１には通常撮影モードによる撮影の他、文書撮影モードによる撮影を可能とし、文字被写体を良好に撮影して文字認識を容易に行える画像の生成を可能なように構成されている。
【００２７】
ＣＰＵ４０における機能制限部４２は、各撮影モードに応じて画像処理部及び各周辺部材等の制御対象における動作内容を制限する機能制限手段である。
【００２８】
具体的には、機能制限部４２は、通常撮影モード設定時に文書画像処理部３７の機能をオフにすることにより、通常被写体を撮影した場合に文書画像のための画像処理が画像データに施されることを防止する。また、機能制限部４２は、文書撮影モード設定時に、シェーディング補正部３２とγ補正部３４との機能をオフするとともに、電子ズーム部３６の機能に制限を設ける。また、機能制限部４２は、文書撮影モード設定時に、フラッシュ発光部１２の発光制御を通常撮影時とは異なる制御内容に切り替え、フラッシュ発光の機能を制限する。また、機能制限部４２は、文書撮影モード設定時と通常撮影モード設定時とで輪郭補正部３８及び圧縮部３９での処理内容を変更させるように制御する。
【００２９】
制限解除部４３は、各撮影モードの設定時に禁止又は制限される機能の制限状態を強制的に解除する制限解除手段であり、ユーザが強制解除の操作入力を行った場合にはユーザの意志に応じた撮影を可能とするために制限状態の強制的な解除を行う。
【００３０】
さらに、警告発生部４４は、文書撮影モードの設定時に禁止又は制限される機能の制限状態を強制的に解除する場合に、文字被写体を認識可能な程度に良好に撮影することができない可能性があることをユーザに対して警告するための警告発生手段であり、電子ブザー４に対して所定のブザー信号を与えたり、液晶表示器３に対して所定の警告画面を表示させることを行う。
【００３１】
次に、複数の画像処理部での処理内容について簡単に説明する。
【００３２】
シェーディング補正部３２は、一般にＣＣＤ撮像素子３０で得られた画像の輝度むらを補正するための処理を行うものである。図４は、シェーディング補正の一例を説明するための図である。デジタルカメラ１では撮像レンズ１１の周辺光量落ちのために、均一輝度の被写体を撮影した場合であっても図４に示すように同心円状に出力レベルが低下していく。レベル低下をシェーディング補正機能によって補正する。撮像レンズ１１による周辺光量落ちはレンズ固有の特性であるので、事前に使用する撮像レンズ１１に応じて補正テーブルを準備しておき、ＣＣＤ撮像素子３０から得られる画像データに対し、その補正テーブルを参照して補正すればよい。なお、シェーディング補正部３２は、このような撮像レンズ１１による周辺光量落ちを補正するだけでなく、ＣＣＤ撮像素子３０の画素ごとの輝度レベルむら等のようなその他の要因による輝度むらも補正するように補正テーブルを準備しておくことが好ましい。
【００３３】
ＷＢ補正部３３は、予め設定されたホワイトバランスモードの設定値に基づいて通常被写体を撮影した画像のホワイトバランスを調整するものである。
【００３４】
γ補正部３４は、通常ＣＣＤ撮像素子３０で得られた画像に、ディスプレイ等で観察することを想定して、ディスプレイ等の入出力特性に対する逆特性の補正をかけるものである。図５はγ補正特性の一例を示す図である。γ補正部３４に入力信号が入力すると、出力信号が図５のようなγ曲線に基づく変換を受けて出力される。このようなγ特性は通常被写体を撮影した場合にその画像を液晶表示器３等に表示した場合に画像の再現性が最適となるように定められている。
【００３５】
色補間部３５は、ＣＣＤ撮像素子３０で得られた画像において、各画素ごとのＲ（赤），Ｇ（緑），Ｂ（青）の各色成分を補完し、画像における各色成分の再現性を向上させるものである。
【００３６】
電子ズーム部３６は、ユーザが電子ズーム設定キー１９を操作することによって動作するものであり、ＣＣＤ撮像素子３０で得られた画像を画像処理により拡大処理するものである。この電子ズーム機能は画像処理によってズーム画像を生成するため、任意の倍率で画像拡大を行うことができる。このため、光学ズームでは拡大可能な範囲を超えて画像のズームを行うことができる。
【００３７】
図６及び図７は電子ズーム機能を説明するための図である。まず光学ズーム機能により最大限に画像拡大をした場合の画像が図６に示す画像であるとすると、電子ズーム機能はさらにその画像の中央領域（点線枠内部分）ＤＲの画像を図７に示すように拡大することができる。電子ズーム部３６によるズーミングの倍率はユーザがズームレバー５を操作ことにより可変することができる。具体的には、ＣＰＵ４０がズームレバー５の操作内容を判断し、最初はズームレンズ１１ａを駆動させることによりＣＣＤ撮像素子３０に結像される被写体像の光学的ズーミングを行い、ズームレバー５の操作状況がズームレンズ１１ａによる拡大可能な範囲を超える場合に、電子ズーム部３６に対して光学ズームで拡大可能な範囲を超える範囲についてのズーミング倍率を設定する。つまり、ＣＰＵ４０はユーザがズームレバーを操作することによって設定するズーミングの倍率を電子ズーム部３６に与えることにより、電子ズーム部３６に電子ズームの倍率の設定又は変更が行われる。
【００３８】
電子ズーム部３６での画像処理による画像の拡大は、一般に解像度の劣化を伴う。この劣化現象は、特に画像のエッジ部分等の高周波成分において顕著となる。文字被写体を撮影する場合は、特にエッジ部分等の高周波成分が劣化すると文字認識等が困難なるため、上述のように文書撮影モードではＣＰＵ４０は電子ズーム部３６における電子ズーム機能を制限するように構成されている。
【００３９】
ここでいう電子ズーム機能の制限には、電子ズーム機能を全く機能停止させる場合と、例えば電子ズーム機能が１〜１０倍までの任意の倍率で電子ズームを行うことができる場合であって電子ズーム機能による倍率を２倍程度（所定の制限範囲内）に制限する場合との２つの態様がある。電子ズーム機能を全く機能停止させる場合は、電子ズームによる画質劣化を全く生じさせないという点で利点がある。また、所定の制限範囲内で電子ズーム倍率を制限する場合は、制限範囲を文字認識等が困難とならない程度の倍率に設定しておけばよい。
【００４０】
次に、文書画像処理部３７について説明する。文書画像処理部３７はＣＰＵ４０の制御により、文書撮影モードの設定時に機能し、通常撮影モードの設定時にはオフ状態となっている。このため通常撮影モードの設定時には電子ズーム部３６から導かれる画像はそのままの状態で輪郭補正部３８へと送られることになる。
【００４１】
文書画像処理部３７における処理内容の説明を簡単にするために、ここでは画像が白黒画像であり、各画素の輝度値が０〜２５５の値をとり得る２５６階調である場合を例示する。
【００４２】
文書撮影モードで文字被写体を撮影して得られた画像Ｇ１の一例を図８に示す。まず、図８に示すように、文書画像処理部３７は画像Ｇ１を点線のように複数のブロックに分割し、各ブロック毎に画素値のヒストグラムを作成する。図９乃至図１１はヒストグラムを示す図である。
【００４３】
例えば一のブロックＢ１のヒストグラムを作成すると、そのヒストグラムは図９のようになる。図９のヒストグラムにはピーク分布（山状分布）が２個（Ｍ１，Ｍ２）できており、明るい側のピーク分布Ｍ１は文書の下地を取り込んだ画素に相当し、暗い側のピーク分布Ｍ２は文字を取り込んだ画素に相当する。ピーク分布Ｍ１のレベルは２５５ではなく、画素出力としては未だ飽和していない。このことはＣＣＤ撮像素子３０で得られた文書画像は、下地が白ではなく、グレーレベルになっていることを示している。そこで、ピーク分布Ｍ１のピーク値ＬＵより高いレベルを飽和させるような変換処理を行う。
【００４４】
図１２はピーク値ＬＵより高いレベルを飽和させるための変換特性を示す図である。図１２に示すように、文書画像処理部３７は入力信号がピーク値ＬＵよりも大きい値を採る場合にはその輝度値を２５５に飽和させ、入力信号がピーク値ＬＵよりも小さい値を採る場合にはその輝度値を０〜２５５の値に変換する。この変換処理を行うことにより、図９のヒストグラムは、図１０に示すヒストグラムのように変換され、下地部分を取り込んだ画素の輝度値が白くとぶことになる。
【００４５】
続いて、文字部分を鮮明化するために、ピーク分布Ｍ２のピーク値ＬＣより低いレベルを黒くつぶすような変換処理を行う。
【００４６】
図１３はピーク値ＬＣより低いレベルを黒く塗りつぶすための変換特性を示す図である。図１３に示すように、文書画像処理部３７は入力信号がピーク値ＬＣよりも小さい値を採る場合にはその輝度値を０に変換し、入力信号がピーク値ＬＣよりも大きい値を採る場合にはその輝度値を０〜２５５の値に変換する。この変換処理を行うことにより、図１０のヒストグラムは、図１１に示すヒストグラムのように変換され、文字部分を取り込んだ画素の輝度値が黒く塗りつぶされることになる。したがって、この処理により、文字が黒く鮮明になる。
【００４７】
以上のような処理を各ブロック毎に行うことにより、図８の画像Ｇ１の全体について文字部分を黒く、下地部分を白くことができ、その結果、文字部分が鮮明化された画像を得ることが可能になる。
【００４８】
なお、画像Ｇ１のブロック分割は、２次元的にブロック分割されているので、文書画像処理部３７に入力する画像に撮像レンズ１１の周辺光量落ちや照度むらの影響が存在する場合あっても、それらの影響は上記の処理を行うことで取り除かれる。
【００４９】
したがって、文字被写体を鮮明に撮影したい場合には、文書画像処理部３７が機能することで、撮像レンズ１１の周辺光量落ちや照度むらの影響を取り除くことができるので、上述のシェーディング補正部３２の機能を停止させても問題は生じない。この結果、ＣＣＤ撮像素子３０で得られた画像はシェーディング補正部３２による処理を経由することなく、処理を進めることができるので、高速処理が可能になる。
【００５０】
また、図１２及び図１３に示す変換特性は一種の階調変換処理であると考えられるとともに、文書画像は階調再現性よりも文字部分が鮮明であればよいと考えられるため、文書画像処理部３７において上記のような処理を行うことにより、上述のγ補正部３４の機能を停止させても問題は生じない。この結果、文書撮影モードではＣＣＤ撮像素子３０で得られた画像がγ補正部３４による処理を経由することなく、処理を進めることができるので、高速処理が可能になる。
【００５１】
ところで、上記の処理はブロック内の平均的な特性を基に一つのブロック内で一律の処理を行うことになるので、ブロック境界で段差が発生する可能性がある。この対策として隣接ブロック間で下地レベル（図１２のピーク値ＬＵ）、文字レベル（図１３のピーク値ＬＣ）の平滑化を行う。
【００５２】
図１４はブロック境界で段差をなくすための処理の概念を示す図である。図１４において、Ｐ，Ｑ，Ｒ，ＳはそれぞれブロックＢ１０，Ｂ２０，Ｂ３０，Ｂ４０の中心である。上記のような方法で求めた各ブロックＢ１０，Ｂ２０，Ｂ３０，Ｂ４０の平均下地レベル（図９のピーク分布Ｍ１のピーク値ＬＵ）がそれぞれＬＵ１，ＬＵ２，ＬＵ３，ＬＵ４であったとき、これらを各ブロックの中心位置での下地レベルであると考える。つまり、ピーク値ＬＵ１は位置Ｐでの、ＬＵ２は位置Ｑでの、ＬＵ３は位置Ｒでの、ＬＵ４は位置Ｓでの、それぞれ下地レベルということである。
【００５３】
そして、これら下地レベルＬＵ１，ＬＵ２，ＬＵ３，ＬＵ４を用いて、四角形ＰＱＲＳ内における各画素位置での下地レベルを線形補完で求める。例えば図１４の位置Ｔにある画素での下地レベルＬＵ＿Ｔは、
【００５４】
【数１】
0003717790.tif 000002
【００５５】
のようになる。ただし、数１の式において、ａ＝ＰＱ＝ＰＲ＝ＱＳ＝ＲＳ，ｂ＝ＰＵ，ｃ＝ＰＶであり、説明を簡単にするために四角形ＰＱＲＳは正方形としている。
【００５６】
このような処理を行うことにより、下地レベルＬＵ＿Ｔが徐々に変化していき、ブロック境界で段差が発生するようなことは避けられる。なお、他のブロックについても同様に下地レベルについて数１の式の演算を行えばよい。
【００５７】
また、文字レベルに関しても同様に処理すれば、ブロック境界でも段差のない鮮明な文字画像を再現することができる。以上で文書画像処理部３７での処理が終了する。
【００５８】
次に、輪郭補正部３８では、画像の輪郭（エッジ成分）が強調される処理が行われる。輪郭補正部３８はＣＰＵ４０より定められる輪郭強調用の補正量（パラメータ）に基づいて入力する画像に対する輪郭補正を行うが、ＣＰＵ４０は撮影モードが通常撮影モードであるか文書撮影モードであるかにより、輪郭強調用の補正量を変更するように制御する。具体的には、文書撮影モードの場合は、通常撮影モードの場合に比べて輪郭強調の度合いが強くなるように輪郭強調用の補正量が設定される。このような補正量を設定することにより、文字被写体を撮影した場合の文字等をより鮮明にすることができる。
【００５９】
圧縮部３９では、例えばＪＰＥＧ等に基づく画像圧縮が行われる。この画像圧縮ではＣＰＵ４０により定められる圧縮率に基づいた圧縮処理が行われる。ＣＰＵ４０は撮影モードが通常撮影モードであるか文書撮影モードであるかにより、圧縮部３９に設定する圧縮率を変更するように制御する。具体的には、文書撮影モードの場合は、通常撮影モードの場合に比べて圧縮率が小さくなるように圧縮率が設定される。このような圧縮率を設定することにより、文字被写体を撮影した場合の文字が劣化することを低減することができる。
【００６０】
このように各画像処理部での処理が施された画像データは最終的に記録メディア９に記録される。なお、記録メディア９に記録された画像はＣＰＵ４０による制御で液晶表示器３に表示させることができ、液晶表示器３への画像表示によりユーザは撮影によって得られた画像が良好に撮影されているかどうかを確認することが可能となっている。
【００６１】
以上のような構成のデジタルカメラ１において文書撮影モード設定時には文字等を鮮明に撮影するための撮影シーケンスについて説明する。図１５乃至図２０はデジタルカメラ１における撮影シーケンスを示すフローチャートである。
【００６２】
まず、デジタルカメラ１においては撮影モードの初期化が行われる（ステップＳ１００）。この初期化はデジタルカメラ１への電源投入時に行われ、例えばＣＰＵ４０がモード設定部４１として機能し、前回電源をオフする際に設定されていた撮影モードが「通常撮影モード」と「文書撮影モード」とのいずれであるかを判断してその判断結果に応じて撮影モードを設定する。なお、電源投入時に予め定められた撮影モードを初期設定するようにしてもよい。
【００６３】
そして、モード設定部４１は撮影モードの設定変更が行われたか否かを判断し（ステップＳ２００）、撮影モードの設定変更が行われた場合はステップＳ３００に進み、撮影モードの設定変更が行われていない場合はステップＳ４００に進む。ステップＳ３００に進んだ場合は、モード設定部４１は撮影モードをユーザによって指定された撮影モードに変更し、ステップＳ４００に進む。
【００６４】
そして、ＣＰＵ４０は機能制限部４２として機能し、撮影モードとして「文書撮影モード」が設定されている場合には、電子ズーム機能の制限処理を行う（ステップＳ４００）。
【００６５】
電子ズーム機能制限（ステップＳ４００）の詳細な処理シーケンスは図１６、図１７又は図１８のフローチャートである。なお、図１６のフローチャートは第１の電子ズーム機能制限の処理を示しており、電子ズーム機能を完全に停止させる場合の処理である。また、図１７のフローチャートは第２の電子ズーム機能制限の処理を示しており、電子ズーム機能を停止させた場合でも手動操作によって電子ズームを行うことを可能とする処理である。さらに、図１８のフローチャートは第３の電子ズーム機能制限の処理を示しており、電子ズームによる倍率に制限を設ける場合の処理である。デジタルカメラ１においては図１６、図１７又は図１８の各処理シーケンスのうちのいずれを採用してもよい。
【００６６】
まず、図１６のフローチャートに基づいて第１の電子ズーム機能制限の詳細な処理内容を説明する。ＣＰＵ４０は機能制限部４２として機能し、文書撮影モードが設定されているか否かを判断する（ステップＳ４１０）。そして文書撮影モードが設定されている場合にはステップＳ４１２に進み、文書撮影モードが設定されていない場合には電子ズームの機能制限を行う必要がないので処理を終了する。
【００６７】
ステップＳ４１２では、ＣＰＵ４０は電子ズーム部３６の機能を停止させる。この動作により、色補間部３５から出力される画像データはそのままの状態で文書画像処理部３７へと導かれることになり、電子ズームによる画質劣化を防止することが可能になる。
【００６８】
ところが、文書撮影モードが設定されている場合であっても、ユーザが電子ズーム機能を作用させようとして電子ズームの設定操作を行う場合もある。そこで、そのような場合にデジタルカメラ１においてユーザに警告を発生するためにステップＳ４１４に進む。
【００６９】
そしてＣＰＵ４０は、ユーザによって電子ズーム機能の設定操作が行われたか否かを判断する（ステップＳ４１４）。電子ズーム機能の設定操作が行われていない場合には、電子ズーム機能を停止したままで処理を終了する。
【００７０】
一方、電子ズーム機能の設定操作が行われた場合には、ＣＰＵ４０は警告発生部４４として機能し、電子ブザー４又は液晶表示器３を対象として上述した警告発生処理を行う（ステップＳ４１６）。これにより、ユーザは電子ズーム機能を作用させると、画質劣化を生じる可能性があることを認識することができる。
【００７１】
以上で第１の電子ズーム機能制限についての処理が終了する。
【００７２】
次に、図１７のフローチャートに基づいて第２の電子ズーム機能制限の詳細な処理内容を説明する。なお、図１７において、図１６のフローチャートにおける手順と同様の手順については同一符号を付している。
【００７３】
ＣＰＵ４０は機能制限部４２として機能し、文書撮影モードが設定されているか否かを判断する（ステップＳ４１０）。そして文書撮影モードが設定されている場合にはステップＳ４１２に進み、文書撮影モードが設定されていない場合には電子ズームの機能制限を行う必要がないので処理を終了する。
【００７４】
ステップＳ４１２では、ＣＰＵ４０は電子ズーム部３６の機能を停止させる。この動作により、色補間部３５から出力される画像データはそのままの状態で文書画像処理部３７へと導かれることになり、電子ズームによる画質劣化を防止することが可能になる。
【００７５】
ところが、文書撮影モードが設定されている場合であっても、ユーザが自らの意志により電子ズーム機能を作用させたい場合もある。そこで、そのような場合にデジタルカメラ１において電子ズーム機能の強制的な設定を可能とするためにステップＳ４１４に進む。
【００７６】
そしてＣＰＵ４０は、ユーザによって電子ズーム機能の設定操作が行われたか否かを判断する（ステップＳ４１４）。電子ズーム機能の設定操作が行われていない場合には、電子ズーム機能を停止したままで処理を終了する。
【００７７】
一方、電子ズーム機能の設定操作が行われた場合には、ＣＰＵ４０は警告発生部４４として機能し、電子ブザー４又は液晶表示器３を対象として上述した警告発生処理を行う（ステップＳ４１６）。これにより、ユーザは電子ズーム機能を作用させると、画質劣化を生じる可能性があることを認識することができる。
【００７８】
そしてＣＰＵ４０はユーザがさらにズームレバー５を操作することで電子ズームの操作を進める場合には、その操作内容に応じて電子ズーム部３６に制御信号を与え、電子ズーム機能を有効にする（ステップＳ４１８）。この状態では、文字被写体を撮影した場合に画質劣化が生じ、文字等を認識することが困難になる可能性があるが、ステップＳ４１６においてユーザに対して一度警告を発しており、警告にもかかわらずユーザが電子ズーム機能を有効にするための操作を行ったのであるから、多少の画質劣化はユーザの意志に基づくものであると考えられるので問題となることはない。
【００７９】
以上で第２の電子ズーム機能制限についての処理が終了する。
【００８０】
次に、図１８のフローチャートに基づいて第３の電子ズーム機能制限の詳細な処理内容を説明する。ＣＰＵ４０は機能制限部４２として機能し、文書撮影モードが設定されているか否かを判断する（ステップＳ４２０）。そして文書撮影モードが設定されている場合にはステップＳ４２２に進み、文書撮影モードが設定されていない場合には電子ズームの機能制限を行う必要がないので処理を終了する。
【００８１】
ステップＳ４２２では、ＣＰＵ４０は電子ズーム部３６によるズーミングの倍率を所定の制限範囲内に設定する。この動作により、電子ズーム部３６では制限範囲内で色補間部３５から出力される画像の拡大処理を行うことが可能になる。
【００８２】
そしてＣＰＵ４０は、ユーザによって電子ズーム機能の設定操作が行われたか否かを判断する（ステップＳ４２４）。電子ズーム機能の設定操作が行われていない場合には、電子ズーム機能を動作させる必要がないので、そのままの状態で処理を終了する。
【００８３】
一方、電子ズーム機能の設定操作が行われた場合には、ＣＰＵ４０はステップＳ４２２で設定された制限範囲内での設定操作か否かを判断する（ステップＳ４２６）。制限範囲内での電子ズーム操作であれば、画質の劣化は許容される範囲内に抑えられるので、その操作に応じた電子ズーム機能を有効にするためにステップＳ４３０へと進む。これに対し、制限範囲を超えるような電子ズーム操作であれば、画質の劣化は許容される範囲を超えることになるのでステップＳ４２８へと進み、ＣＰＵ４０は警告発生部４４として機能して、電子ブザー４又は液晶表示器３を対象として警告発生処理を行う（ステップＳ４２８）。これにより、ユーザは、画質劣化が許容範囲を超える可能性があることを認識することができる。
【００８４】
そしてＣＰＵ４０はユーザがさらにズームレバー５を操作することで電子ズームの操作を進める場合には、その操作内容に応じて電子ズーム部３６に制御信号を与え、電子ズーム部３６におけるズーミング倍率についての制限範囲を超えた状態で倍率設定を行う（ステップＳ４３０）。この状態では、文字被写体を撮影した場合の画質劣化が許容範囲を超える可能性もあるが、ステップＳ４２８においてユーザに対して一度警告を発しており、警告にもかかわらずユーザが電子ズーム機能を有効にするための操作を行ったのであるから、そのような画質劣化はユーザの意志に基づくものであると考えられるので問題となることはない。
【００８５】
以上で第３の電子ズーム機能制限についての処理が終了する。
【００８６】
上記第１乃至第３の電子ズーム機能制限処理においては、撮影モードが文書撮影モードとして設定されている場合に、ＣＰＵ４０が機能制限部４２として機能することで、電子ズーム部３６における電子ズーム機能が制限される。そして第２及び第３の電子ズーム機能制限処理においては、ＣＰＵ４０が制限解除部４３として機能することにより、電子ズーム機能制限下においても強制的に電子ズーム機能を有効にすることができるように構成されている。また、強制的に電子ズーム機能を有効にする際には、ＣＰＵ４０による警告発生部４４が電子ブザー４又は液晶表示器３に対して警告発生処理を行うことにより、ユーザに対して画質劣化の可能性を示唆するように構成されている。
【００８７】
図１５のフローチャートに戻り、電子ズーム機能制限の処理（ステップＳ４００）が終了すると、次にフラッシュ発光制限の処理（ステップＳ５００）が行われる。フラッシュ発光制限（ステップＳ４００）の詳細な処理シーケンスは図１９のフローチャートである。
【００８８】
ＣＰＵ４０は機能制限部４２として機能し、文書撮影モードが設定されているか否かを判断する（ステップＳ５１０）。そして文書撮影モードが設定されている場合にはステップＳ５１２に進み、文書撮影モードが設定されていない場合にはフラッシュ発光に関する制限を行う必要がないので処理を終了する。
【００８９】
文書撮影モードが設定されている場合、書籍等の文字被写体を撮影することになるので、フラッシュ発光部１２を発光させてしまうと、ＣＣＤ撮像素子３０にフラッシュ光の正反射光が入射する可能性がある。ＣＣＤ撮像素子３０に書籍等の紙面からの正反射光が入射してしまうと、紙面上のその正反射位置に記載されている文字を正確に検出することができず、ＣＣＤ撮像素子３０から得られる画像にはその文字情報が失われるという不具合が発生する。
【００９０】
そのため、ステップＳ５１２では、ＣＰＵ４０は機能制限部４２として機能し、フラッシュ発光部１２の自動発光を禁止する。自動発光はＣＰＵ４０が被写体像が暗いと自動判定した場合に、ユーザ操作の有無に関わらず自動的にフラッシュ発光部１２を発光させるモードである。ＣＰＵ４０がこの自動発光を禁止することにより、紙面等が暗い場合でもフラッシュ発光部１２の発光を抑制でき、正反射光がＣＣＤ撮像素子３０に入射して文字認識が困難になることを防止することができる。
【００９１】
なお、このステップＳ５１２においては、フラッシュ発光部１２の「強制発光撮影」が設定されている場合であっても、フラッシュ発光が禁止されることになる。
【００９２】
次にＣＰＵ４０は、ユーザによって強制発光の設定操作が行われたか否かを判断する（ステップＳ５１４）。つまり、ユーザがフラッシュ発光設定キー１８を操作することにより強制発光の設定操作が行われたか否かを判断する。強制発光の設定操作が行われていない場合には、フラッシュ発光部１２の発光を禁止した状態のままで処理を終了する。
【００９３】
一方、強制発光の設定操作が行われた場合には、ＣＰＵ４０は警告発生部４４として機能し、電子ブザー４又は液晶表示器３を対象として上述した警告発生処理を行う（ステップＳ５１６）。これにより、ユーザはフラッシュ発光部１２を発光させると、得られる画像において文字等を正確に認識することのできない可能性があることを認識することが可能になる。
【００９４】
そしてＣＰＵ４０はユーザがさらにフラッシュ発光設定キー１８を操作して強制発光のための操作を進める場合には、フラッシュ発光部１２の発光を許可する（ステップＳ５１８）。これにより、フラッシュ発光部１２は文書撮影モードであるにも拘わらず、レリーズボタン８が操作された時（すなわち、撮影時）に発光することになる。
【００９５】
なお、この状態では、文字被写体を撮影した場合にフラッシュ光の正反射光による影響を受ける可能性があるが、ステップＳ５１６においてユーザに対して一度警告を発しており、その警告にもかかわらずユーザがフラッシュ発光部１２による発光禁止状態を解除するための操作を行ったのであるから、多少の画質劣化はユーザの意志に基づくものであると考えられるので問題となることはない。さらに、ユーザは上記の警告を受けることにより、フラッシュの正反射が入りにくい位置へデジタルカメラ１を移動させることもでき、正反射が写り込むような撮影は減らすことができる。
【００９６】
上記のフラッシュ発光制限処理においては、撮影モードが文書撮影モードとして設定されている場合に、ＣＰＵ４０が機能制限部４２として機能することで、フラッシュ発光部１２によるフラッシュ光の発光が制限され、ＣＰＵ４０が制限解除部４３として機能することにより、フラッシュ発光制限下においても強制的にフラッシュ発光部１２の発光を許可することができるように構成されている。また、強制的にフラッシュの発光を許可する際には、ＣＰＵ４０による警告発生部４４が電子ブザー４又は液晶表示器３に対して警告発生処理を行うことにより、ユーザに対して画質劣化の可能性を示唆するように構成されている。
【００９７】
図１５のフローチャートに戻り、フラッシュ発光制限の処理（ステップＳ５００）が終了すると、次にＣＰＵ４０はユーザによってレリーズボタン８の操作が行われたか否かの判断を行う。レリーズボタン８の操作が行われた場合は、被写体の撮影を行うべくステップＳ７００へと進む。一方、レリーズボタン８が操作されていない間は、ユーザにより撮影モードの変更が行われる可能性があり、そのモード変更への対応処理を随時行うために上記ステップＳ２００からの処理を繰り返す。これにより、ユーザがレリーズボタン８を操作して撮影指示を行うまでは、撮影のための準備段階の処理として撮影モードに応じた設定を行うことが可能になる。つまり、ユーザにより文書撮影モードが設定された場合には撮影の準備段階の処理として上述のような機能制限が行われるのである。
【００９８】
そしてレリーズボタン８の操作が行われた場合には撮影処理（ステップＳ７００）が行われるが、この撮影処理の詳細な処理シーケンスは図２０のフローチャートである。
【００９９】
まず、ＣＰＵ４０は機能制限部４２として機能し、文書撮影モードが設定されているか否かを判断する（ステップＳ７０２）。そして文書撮影モードが設定されている場合にはステップＳ７１０に進み、文書撮影モードが設定されていない場合（つまり通常撮影モードが設定されている場合）にはステップＳ７３０に進む。
【０１００】
文書撮影モードが設定されている場合、ＣＰＵ４０は文書画像処理部の機能をオン状態にし、ＣＣＤ撮像素子３０から得られる画像の下地部分を白色にとばし、文字部分を黒色に塗りつぶす処理が行われるように設定する（ステップＳ７１０）。
【０１０１】
次に、ＣＰＵ４０は撮影条件を深度優先撮影に設定する（ステップＳ７１２）。深度優先撮影とは、撮像レンズ１１に含まれている絞りを絞った状態にすることにより、焦点深度を大きくしてピントの合う範囲を大きくする撮影条件である。文書撮影モードでは文字被写体として雑誌、書籍等の湾曲したページを撮影したり、照明の正反射光がＣＣＤ撮像素子３０に入射することを避けるために、紙面等に対して垂直な方向からではなく、斜め方向から撮影対象のページ等をあおり撮影することがある。このような場合、焦点深度が浅いとページの一部分は合焦状態となるが、それ以外の部分は非合焦状態となる。そこで、ステップＳ７１２において深度優先撮影に設定することにより、あおり撮影した場合でもページの全体を合焦状態とすることができ、文字被写体を適切に撮影することができる。
【０１０２】
そしてＣＰＵ４０はシェーディング補正部３２の機能をオフ状態とするとともに（ステップＳ７１４）、γ補正部３４の機能をオフ状態とする（ステップＳ７１６）。これにより、シェーディング補正やγ補正の処理が省略されるため、画像処理の高速化が図られる。
【０１０３】
そしてＣＰＵ４０は通常撮影モードの場合に比べて輪郭強調の度合いが強くなるように輪郭補正部３８における輪郭強調用の補正量を設定する（ステップＳ７１８）。これにより文字被写体を鮮明に撮影することができる。
【０１０４】
ＣＰＵ４０は文書撮影モード用の圧縮率を圧縮部３９に設定する（ステップＳ７２０）。これにより文字被写体を撮影した画像の劣化を抑制することができる。
【０１０５】
文書撮影モードが設定されている場合には上記のような処理の後、ステップＳ７４０へと進むことになる。
【０１０６】
一方、ステップＳ７０２において文書撮影モードが設定されていないと判断された場合、ＣＰＵ４０は通常被写体を撮影するための通常撮影用パラメータの設定を行う（ステップＳ７３０）。つまり、シェーディング補正部３２、γ補正部３４、電子ズーム部３６、輪郭補正部３８及び圧縮部３９に対して通常被写体を撮影するための各種パラメータの設定を行う。また、フラッシュ発光部１２の制御に関しては、「自動発光撮影」と「強制発光撮影」と「発光禁止撮影」とのうちでユーザによる設定内容に基づいた発光制御を行う。
【０１０７】
次に、ＣＰＵ４０は文書画像処理部３７の機能をオフ状態に設定する（ステップＳ７３２）。これにより、通常被写体を撮影して得られる画像を処理する際には文書画像処理部３７が機能せず、通常被写体に忠実な画像を得ることができる。
【０１０８】
通常撮影モードが設定されている場合には上記のような処理の後、ステップＳ７４０へと進むことになる。
【０１０９】
そしてＣＰＵ４０はＣＣＤ撮像素子３０において電荷蓄積を行わせるための制御信号をＣＣＤ撮像素子３０に与える（ステップＳ７４０）。これによりＣＣＤ撮像素子３０は露光を開始し、光電変換を行って画像データを生成することになる。
【０１１０】
そしてＣＰＵ４０はＣＣＤ撮像素子３０において蓄積された電荷の読み出しを行うための読み出し信号を与える（ステップＳ７４２）。これにより、ＣＣＤ撮像素子３０から画素毎に蓄積された電荷信号が、Ａ／Ｄ変換器３１へと出力される。
【０１１１】
そしてＣＰＵ４０はＡ／Ｄ変換器３１から圧縮部３９までの各画像処理部に対し、これまでの処理で設定された設定条件に応じた制御信号を与え、各画像処理部において各種処理を実行させる（ステップＳ７４４）。
【０１１２】
そして最終的に撮影の結果得られた画像データが記録メディア９に記録され（ステップＳ７４６）、撮影シーケンスの全処理が終了する。
【０１１３】
この実施の形態のデジタルカメラ１は、上述したように、モード設定部４１によって設定されたモードが文書撮影モードである場合に、電子ズーム部３６による電子ズーム機能を制限するように構成されているため、文書撮影モードの設定時には文字等が鮮明に撮影された画像を得ることができる。また、電子ズーム部３６による電子ズームを行うことを禁止する場合は、文字等が最も鮮明に撮影された画像を得ることができる。
【０１１４】
また、機能制限部４２が電子ズーム部３６の機能を制限している場合に、機能制限部４２による電子ズーム部３６の機能制限状態を解除することができるように構成されているので、文書撮影モードであっても電子ズームを作用させることができる。そして、機能制限状態を解除する際には、ユーザに対して所定の警告を行うように構成されているので、ユーザは機能制限状態を解除することにより、文書画像の画質が劣化する可能性のあることを把握することができる。
【０１１５】
以上、この発明の実施の形態について説明したが、この発明にかかるデジタルカメラは上記説明した内容のデジタルカメラ１に限定されるものではない。
【０１１７】
【発明の効果】
以上説明したように、請求項１に記載の発明によれば、モード設定手段によって設定されたモードが文書撮影モードである場合に、機能制限手段が電子ズーム手段の機能を制限するように構成されているため、文書撮影モードの設定時には文字等が鮮明に撮影された画像を得ることができる。
【０１１８】
請求項２に記載の発明によれば、機能制限手段が電子ズーム手段による電子ズームを禁止するため、文書撮影モードの設定時には、電子ズームによって画質が劣化することを回避することができ、文字等が最も鮮明に撮影された画像を得ることができる。
【０１１９】
請求項３に記載の発明によれば、機能制限手段が電子ズーム手段の機能を制限している場合に、機能制限手段による電子ズーム手段の機能制限状態を解除するように構成されるとともに、機能制限状態を解除する際には、所定の警告を行うように構成されているため、文書撮影モードであっても電子ズームを作用させることができるとともに、機能制限状態を解除することによって文書画像の画質が劣化する可能性のあることを把握することができる。
【０１２０】
請求項４に記載の発明によれば、機能制限手段が電子ズーム手段による電子ズームの倍率を制限するため、文書撮影モードの設定時には文字等の鮮明度が著しく低下することを防止することができ、文字等が鮮明に撮影された画像を得ることができる。
【０１２１】
請求項５に記載の発明によれば、機能制限手段が電子ズーム手段の機能を制限している場合に、機能制限手段による電子ズーム手段の機能制限状態を解除するように構成されるとともに、機能制限状態を解除する際には、所定の警告を行うように構成されているため、文書撮影モードであっても電子ズームを作用させることができるとともに、機能制限状態を解除することによって文書画像の画質が劣化する可能性のあることを把握することができる。
【図面の簡単な説明】
【図１】デジタルカメラを示す斜視図である。
【図２】デジタルカメラの背面側の構成を示す図である。
【図３】デジタルカメラの内部構成を示すブロック図である。
【図４】シェーディング補正の一例を説明するための図である。
【図５】γ補正特性の一例を示す図である。
【図６】電子ズーム機能を説明するための図である。
【図７】電子ズーム機能を説明するための図である。
【図８】文書撮影モードで文字被写体を撮影して得られた画像の一例を示す図である。
【図９】ヒストグラムを示す図である。
【図１０】図９のヒストグラムを変換した後のヒストグラムを示す図である。
【図１１】図１０のヒストグラムを変換したヒストグラムを示す図である。
【図１２】高いレベルを飽和させるための変換特性を示す図である。
【図１３】低いレベルを黒く塗りつぶすための変換特性を示す図である。
【図１４】ブロック境界で段差をなくすための処理の概念を示す図である。
【図１５】デジタルカメラにおける撮影シーケンスを示すフローチャートである。
【図１６】デジタルカメラにおける撮影シーケンスを示すフローチャートである。
【図１７】デジタルカメラにおける撮影シーケンスを示すフローチャートである。
【図１８】デジタルカメラにおける撮影シーケンスを示すフローチャートである。
【図１９】デジタルカメラにおける撮影シーケンスを示すフローチャートである。
【図２０】デジタルカメラにおける撮影シーケンスを示すフローチャートである。
【符号の説明】
１  デジタルカメラ
３  液晶表示器
４  電子ブザー
８  レリーズボタン
１１  撮像レンズ
１２  フラッシュ発光部
３０  ＣＣＤ撮像素子（撮像手段）
３６  電子ズーム部（電子ズーム手段）
３７  文書画像処理部
４０  ＣＰＵ
４１  モード設定部（モード設定手段）
４２  機能制限部（機能制限手段）
４３  制限解除部（制限解除手段）
４４  警告発生部（警告発生手段）
【図１】
0003717790.tif 000003
【図２】
0003717790.tif 000004
【図３】
0003717790.tif 000005
【図４】
0003717790.tif 000006
【図５】
0003717790.tif 000007
【図６】
0003717790.tif 000008
【図７】
0003717790.tif 000009
【図８】
0003717790.tif 000010
【図９】
0003717790.tif 000011
【図１０】
0003717790.tif 000012
【図１１】
0003717790.tif 000013
【図１２】
0003717790.tif 000014
【図１３】
0003717790.tif 000015
【図１４】
0003717790.tif 000016
【図１５】
0003717790.tif 000017
【図１６】
0003717790.tif 000018
【図１７】
0003717790.tif 000019
【図１８】
0003717790.tif 000020
【図１９】
0003717790.tif 000021
【図２０】
0003717790.tif 000022